(57)【要約】  【課題】  液晶表示器に画像を表示する際の消費電力を低減し、また、液晶表示以外の信号処理を高速に実行可能にする。  【解決手段】  メモリ２２に一旦格納された画像データは、連続的又は間欠的に読み出され、信号処理回路１８及びビデオ出力回路２４を介して液晶駆動回路２８に供給される。液晶駆動回路２８は、ビデオ信号が間欠的に供給されると、そのビデオ信号の未入力時には液晶表示に必要なパルスの出力を停止し、ＬＣＤパネル３０に表示されている現画像を保持させる。一方、メモリ２２から液晶表示用の画像データが間欠的に読み出され、液晶表示用の読出しが停止している期間中に、メモリ２２にアクセスして画像データの記録処理等の他の信号処理を実行する。【選択図】        図１
2007004188.tif 000002
【特許請求の範囲】
【請求項１】
画像データを取得する画像取得手段と、
前記画像取得手段によって取得された画像データを一旦格納する画像メモリと、
液晶表示器と、
前記画像メモリに格納された画像データを、外部機器にビデオ出力するか又は前記液晶表示器に出力するかを選択する選択手段と、
前記画像メモリに格納された画像データを前記外部機器にビデオ出力するときには、ビデオ信号を生成する第１のタイミング信号を発生し、前記画像メモリに格納された画像データを前記液晶表示器に出力するときには、前記第１のタイミング信号よりも周波数の低い第２のタイミング信号を発生するタイミング信号発生手段と、
前記画像メモリに格納された画像データを前記外部機器にビデオ出力するときに、前記画像メモリからの画像データの読出しを前記第１のタイミング信号で行い、該画像データを前記外部機器へのビデオ出力に適したビデオ信号に変換して、該ビデオ信号を前記外部機器に出力するビデオ出力手段と、
前記画像メモリに格納された画像データを前記液晶表示器に出力するときに、前記画像メモリからの画像データの読出しを前記第２のタイミング信号で行い、該画像データを液晶表示に適した液晶表示用のビデオ信号に変換して、該液晶表示用のビデオ信号とともに該液晶表示用のビデオ信号に対応した駆動パルスを前記液晶表示器に出力する液晶駆動手段と、
を備えたことを特徴とする液晶表示装置。
【請求項２】
撮像素子を駆動して被写体を示す画像データを取得する撮像手段と、
前記撮像手段によって取得された画像データを一旦格納する画像メモリと、
液晶表示器と、
前記画像メモリに格納された画像データを、外部機器にビデオ出力するか又は前記液晶表示器に出力するかを選択する選択手段と、
前記画像メモリに格納された画像データを前記外部機器にビデオ出力するときには、ビデオ信号を生成する第１のタイミング信号を発生し、前記画像メモリに格納された画像データを前記液晶表示器に出力するときには、前記第１のタイミング信号よりも周波数の低い第２のタイミング信号を発生するタイミング信号発生手段と、
前記画像メモリに格納された画像データを前記外部機器にビデオ出力するときに、前記画像メモリからの画像データの読出しを前記第１のタイミング信号で行い、該画像データを前記外部機器へのビデオ出力に適したビデオ信号に変換して、該ビデオ信号を前記外部機器に出力するビデオ出力手段と、
前記画像メモリに格納された画像データを前記液晶表示器に出力するときに、前記画像メモリからの画像データの読出しを前記第２のタイミング信号で行い、該画像データを液晶表示に適した液晶表示用のビデオ信号に変換して、該液晶表示用のビデオ信号とともに該液晶表示用のビデオ信号に対応した駆動パルスを前記液晶表示器に出力する液晶駆動手段と、
を備えたことを特徴とする電子カメラ。
【請求項３】
撮像素子を駆動して被写体を示す画像データを取得する撮像手段と、
液晶表示器と、
前記撮像手段によって取得された画像データを、外部機器にビデオ出力するか又は前記液晶表示器に出力するかを選択する選択手段と、
前記撮像手段によって取得された画像データを前記外部機器にビデオ出力するときには、ビデオ信号を生成する第１のタイミング信号を発生し、前記撮像手段によって取得された画像データを前記液晶表示器に出力するときには、前記第１のタイミング信号よりも周波数の低い第２のタイミング信号を発生するタイミング信号発生手段と、
前記撮像手段によって取得された画像データを前記外部機器にビデオ出力するときに、前記撮像素子の駆動を前記第１のタイミング信号で行い、該画像データを前記外部機器へのビデオ出力に適したビデオ信号に変換して、該ビデオ信号を前記外部機器に出力するビデオ出力手段と、
前記撮像手段によって取得された画像データを前記液晶表示器に出力するときに、前記撮像素子の駆動を前記第２のタイミング信号で行い、該画像データを液晶表示に適した液晶表示用のビデオ信号に変換して、該液晶表示用のビデオ信号とともに該液晶表示用のビデオ信号に対応した駆動パルスを前記液晶表示器に出力する液晶駆動手段と、
を備えたことを特徴とする電子カメラ。
【発明の詳細な説明】
【技術分野】
【０００１】
本発明は液晶表示装置及び電子カメラに係り、特にデジタルカメラなどの電子カメラに適用される液晶表示装置及び電子カメラに関する。
【背景技術】
【０００２】
従来、デジタルカメラなどで画像を撮影し、その撮影した静止画を液晶モニタに表示する場合、画像メモリに一旦格納した画像データを画像メモリから読み出しながら信号処理を行って標準的なビデオ信号や液晶モニタに適したビデオ信号に変換し、このビデオ信号を液晶モニタに出力することにより、静止画を表示させるようにしている。
【０００３】
このとき、画像メモリはメモリバスを介して一定のフレームレートで継続的にアクセスされているため、表示以外の目的、例えば画像データの圧縮処理や外部メモリ等への記録処理などを行うために画像メモリの画像データにアクセスするには、表示を一旦停止するか、水平・垂直ブランキング期間にアクセスするようにしていた。
【特許文献１】特開昭６３−２４３９２２号公報
【特許文献２】特開平０９−０９３４７０号公報
【特許文献３】特開平０５−０５６３１６号公報
【発明の開示】
【発明が解決しようとする課題】
【０００４】
しかしながら、前者の場合には、表示が一旦消えるため、画像の確認等ができなくなるという問題がある。
【０００５】
後者の場合には、僅かな時間しか処理時間として使えないため、全体の信号処理時間が長くなるという問題がある。例えば、ＮＴＳＣ方式のビデオ信号で、６４０×４８０画素の画像を表示する場合を例にとると、
１フレーム期間＝１／３０＝３３．３（ｍsec)
垂直ブランキング期間＝１フレーム期間＊（５２５−４８０）／５２５
＝（１／３０）＊（４５）／５２５
≒２．８６（ｍsec)
となり、垂直ブランキング期間だけ使用すると、１Ｖ期間（垂直同期期間）に２．８６（ｍsec)しか信号処理等に使用できず、また、水平ブランキング期間を利用したとしてもその増加は僅かである。
【０００６】
また、液晶モニタに動画を表示させ、液晶モニタを電子ファインダとして使用できる電子カメラがあるが、液晶モニタの使用中は消費電力が大きくなるという問題がある。
【０００７】
本発明の目的は、液晶表示器に画像を表示する際の消費電力を低減することができる液晶表示装置及び電子カメラを提供することにある。
【０００８】
本発明の他の目的は、液晶表示器に画像を表示させながら、表示以外の信号処理を高速に実行することができる電子カメラを提供することにある。
【課題を解決するための手段】
【０００９】
上記目的を達成するために、本発明に係る液晶表示装置は、画像データを取得する画像取得手段と、前記画像取得手段によって取得された画像データを一旦格納する画像メモリと、液晶表示器と、前記画像メモリに格納された画像データを、外部機器にビデオ出力するか又は前記液晶表示器に出力するかを選択する選択手段と、前記画像メモリに格納された画像データを前記外部機器にビデオ出力するときには、ビデオ信号を生成する第１のタイミング信号を発生し、前記画像メモリに格納された画像データを前記液晶表示器に出力するときには、前記第１のタイミング信号よりも周波数の低い第２のタイミング信号を発生するタイミング信号発生手段と、前記画像メモリに格納された画像データを前記外部機器にビデオ出力するときに、前記画像メモリからの画像データの読出しを前記第１のタイミング信号で行い、ビデオ信号を前記外部機器に出力するビデオ出力手段と、前記画像メモリに格納された画像データを前記液晶表示器に出力するときに、前記画像メモリからの画像データの読出しを前記第２のタイミング信号で行い、液晶表示用のビデオ信号とともに該ビデオ信号に対応した駆動パルスを前記液晶表示器に出力する液晶駆動手段とを備えたことを特徴とする。
【００１０】
上記目的を達成するために、本発明の第１の観点に係る電子カメラは、撮像素子を駆動して被写体を示す画像データを取得する撮像手段と、前記撮像手段によって取得された画像データを一旦格納する画像メモリと、液晶表示器と、前記画像メモリに格納された画像データを、外部機器にビデオ出力するか又は前記液晶表示器に出力するかを選択する選択手段と、前記画像メモリに格納された画像データを前記外部機器にビデオ出力するときには、ビデオ信号を生成する第１のタイミング信号を発生し、前記画像メモリに格納された画像データを前記液晶表示器に出力するときには、前記第１のタイミング信号よりも周波数の低い第２のタイミング信号を発生するタイミング信号発生手段と、前記画像メモリに格納された画像データを前記外部機器にビデオ出力するときに、前記画像メモリからの画像データの読出しを前記第１のタイミング信号で行い、ビデオ信号を前記外部機器に出力するビデオ出力手段と、前記画像メモリに格納された画像データを前記液晶表示器に出力するときに、前記画像メモリからの画像データの読出しを前記第２のタイミング信号で行い、液晶表示用のビデオ信号とともに該ビデオ信号に対応した駆動パルスを前記液晶表示器に出力する液晶駆動手段とを備えたことを特徴とする。
【００１１】
また、本発明の第２の観点に係る電子カメラは、撮像素子を駆動して被写体を示す画像データを取得する撮像手段と、液晶表示器と、前記撮像手段によって取得された画像データを、外部機器にビデオ出力するか又は前記液晶表示器に出力するかを選択する選択手段と、前記撮像手段によって取得された画像データを前記外部機器にビデオ出力するときには、ビデオ信号を生成する第１のタイミング信号を発生し、前記撮像手段によって取得された画像データを前記液晶表示器に出力するときには、前記第１のタイミング信号よりも周波数の低い第２のタイミング信号を発生するタイミング信号発生手段と、前記撮像手段によって取得された画像データを前記外部機器にビデオ出力するときに、前記撮像素子の駆動を前記第１のタイミング信号で行い、ビデオ信号を前記外部機器に出力するビデオ出力手段と、前記撮像手段によって取得された画像データを前記液晶表示器に出力するときに、前記撮像素子の駆動を前記第２のタイミング信号で行い、液晶表示用のビデオ信号とともに該ビデオ信号に対応した駆動パルスを前記液晶表示器に出力する液晶駆動手段とを備えたことを特徴とする。
【００１２】
即ち、外部機器にビデオ信号を出力する場合には、ビデオ出力端子からＮＴＳＣ方式、ＰＡＬ方式などの標準的なビデオ信号を出力する必要があるため、標準的なビデオ信号を生成するのに適した第１のタイミング信号によって、撮像素子の駆動や画像メモリからの画像データの読出しを行う。一方、液晶表示器に画像を表示させる場合には、標準的なビデオ信号の制限を受けないため、撮像素子の駆動や画像メモリからの画像データの読出しを、前記第１のタイミング信号よりも周波数の低い第２のタイミング信号で行い、液晶表示用のビデオ信号とともに、そのビデオ信号に対応した駆動パルスを出力するようにしている。尚、消費電力は、撮像素子の駆動や画像メモリからの画像データの読出しの周波数に比例するため、液晶表示器に画像を表示する際の消費電力を低減することができる。
【発明の効果】
【００１３】
以上説明したように本発明によれば、液晶表示器に画像を表示する際に、ビデオ信号を間欠的に供給し、ビデオ信号の未入力時には液晶表示に必要なパルスの出力を停止し、液晶表示器に表示されている現画像を保持させることができ、これにより、撮像素子の駆動や画像メモリからの画像データの読出し、及び信号処理回路を停止させることができ、消費電力を大幅に低減することができる。尚、液晶表示器の駆動を停止しても、液晶表示器に静止画を表示させる場合には問題がなく、また、液晶表示器に動画を表示させる場合には、間欠的な表示によりスムーズな動きが犠牲になるが、被写体のフレーミングを行うための電子ファインダとしては十分実用的である。
【００１４】
また、画像メモリ等からの画像データの読出しを常時行う必要がないため、液晶表示器に画像を表示させつつ、液晶表示用のデータの読出停止期間中に画像メモリにアクセスして他の信号処理（例えば、画像データの圧縮処理や外部メモリ等への記録処理など）の時間を十分に確保することができ、他の信号処理を高速に実行することができる。
【００１５】
更に、本発明によれば、外部機器にビデオ信号を出力する場合には、ビデオ出力端子からＮＴＳＣ方式、ＰＡＬ方式などの標準的なビデオ信号を生成するのに適した第１のタイミング信号によって、撮像素子の駆動や画像メモリからの画像データの読出しを行い、液晶表示器に画像を表示させる場合には、標準的なビデオ信号の制限を受けないため、撮像素子の駆動や画像メモリからの画像データの読出しを、前記第１のタイミング信号よりも周波数の低い第２のタイミング信号で行うようにしたため、液晶表示器に画像を表示する際の消費電力を低減することができる。
【発明を実施するための最良の形態】
【００１６】
以下添付図面に従って本発明に係る液晶表示装置及び電子カメラの好ましい実施の形態について詳説する。
【００１７】
図１は本発明に係る電子カメラを示すブロック図である。
【００１８】
この電子カメラは、レリーズボタン（図示せず）の操作により静止画を外部メモリカード等に記録するデジタルカメラであり、液晶表示器（ＬＣＤパネル）３０が設けられている。このＬＣＤパネル３０は、撮影した静止画又は再生した静止画を表示することができ、また、動画も表示することができ電子ファインダとして使用できるものである。
【００１９】
被写体像は、撮影レンズ１０を介して固体撮像素子（ＣＣＤ）１２の受光面上に結像される。ＣＣＤ１２は、受光面に結像された画像光をその光量に応じた量の信号電荷に変換する。このようにして変換された信号電荷は、ＣＣＤ駆動回路１３から加えられるＣＣＤ駆動パルスに基づいて信号電荷に応じた電圧信号（画像信号）として順次読み出され、ＣＤＳ回路１６に加えられる。
【００２０】
ＣＤＳ回路１６は、ＣＤＳクランプ、ゲインコントロールアンプ及びＡ／Ｄコンバータ等から構成されており、ＣＣＤ１２から読み出された画像信号は、ＣＤＳクランプで各画素毎にサンプリングホールドされ、ゲインコントロールアンプで増幅されたのち、Ａ／ＤコンバータでＲ，Ｇ，Ｂのデジタル信号に変換されて信号処理回路１８に加えられる。尚、タイミング信号発生回路１４は、マイコン２０からのコマンドに応じてＣＣＤ駆動回路１３、ＣＤＳ回路１６及び信号処理回路１８に適宜のタイミング信号を出力し、各回路の同期をとっているが、このタイミング信号の詳細については後述する。
【００２１】
信号処理回路１８は、ＹＣ信号作成回路、圧縮／伸長回路等を含み、前記Ｒ，Ｇ，Ｂのデジタル信号をマイコン２０からのコマンドによってＹＣ信号（輝度信号Ｙとクロマ信号Ｃ）に変換し、このＹＣ信号をメモリ２２に格納する。また、信号処理回路１８は、メモリ２２からＹＣ信号をマイコン２０からのコマンドによって連続的又は間欠的に読み出し、これをビデオ出力回路２４に出力する。
【００２２】
ビデオ出力回路２４は、Ｄ／Ａコンバータ、エンコーダ等を含み、入力するＹＣ信号をＤ／Ａコンバータでアナログ信号に変換したのち、エンコーダで例えばＮＴＳＣ方式のビデオ信号を生成し、これをビデオ出力端子２６及び液晶駆動回路２８に出力する。
【００２３】
液晶駆動回路２８は入力するビデオ信号に基づいてＲ、Ｇ、Ｂ信号及び液晶表示に必要なパルスを生成してＬＣＤパネル３０を出力し、ＬＣＤパネル３０に画像を表示させる。
【００２４】
尚、３２は、メモリカードや外部機器とデータを授受するための外部インターフェースであり、信号処理回路１８は、画像データの記録時にはマイコン２０からのコマンドによりメモリ２２にアクセスしてメモリ２２上のＹＣ信号を圧縮し、その圧縮した画像データを外部インターフェース３２を介してメモリカードに記録させる。また、３４は、ビデオ出力端子２６にケーブルあるいはテレビ等が接続されているか否かを機械的又は電気的に検知する検出器である。
【００２５】
次に、上記構成の電子カメラにおいて、レリーズボタンの操作により静止画をメモリカードに記録する場合について説明する。
【００２６】
この場合、レリーズボタンの操作により取得された画像データは一旦メモリ２２に格納される。信号処理回路１８は、マイコン２０からのコマンドにより、静止をＬＣＤパネル３０に表示するために前記メモリ２２に格納されている画像データを１画面（１フィールド又は１フレーム）を単位として間欠的に読み出し、前回の１画面の読出しと、次回の１画面の読出しとの間に一定期間（例えば、１フィールド又は１フレーム）の読出停止期間を設ける。
【００２７】
このようにして間欠的に読み出された画像データは、ビデオ出力回路２４を介して液晶表示に適したビデオ信号に変換され、液晶駆動回路２８に加えられる。液晶駆動回路２８は、図２に示すように入力するビデオ信号に基づいてＲ、Ｇ、Ｂ信号、同期信号、駆動制御信号を生成する回路（図示せず）、ドライバ回路２８Ａ、駆動パルス発生回路２８Ｂ等から構成されており、Ｒ、Ｇ、Ｂ信号はドライバ２８Ａに出力され、同期信号及び駆動制御信号は駆動パルス発生回路２８Ｂに出力される。尚、駆動制御信号は、ビデオ信号の入力を有無に示す信号であり、図３（Ｂ）に示すようにビデオ信号が供給されている期間をＴ１、ビデオ信号の供給が停止している期間をＴ２とすると、駆動制御信号は、期間Ｔ１及び期間Ｔ２に同期してローレベル及びハイレベルとなる信号である。
【００２８】
ドライバ回路２８Ａは、Ｒ、Ｇ、Ｂ信号を１水平ライン毎に極性を反転させてＬＣＤパネル３０の水平ゲートスイッチ部３０Ａに出力し、液晶素子に一定電圧が長時間印加されないようにしている。
【００２９】
駆動パルス発生回路２８Ｂは、ビデオ信号から同期分離された垂直同期信号及び水平同期信号に基づいてＬＣＤパネル３０を駆動するための水平パルス及び垂直パルスを発生するが、図３に示すように前記駆動制御信号がハイレベルの期間（即ち、ビデオ信号の未入力期間）、前記水平パルス及び垂直パルスの発生を停止する。
【００３０】
ＬＣＤパネル３０は、図２に示すように水平ゲートスイッチ部３０Ａ、水平シフトレジスタ３０Ｂ、垂直シフトレジスタ３０Ｃ、及び容量素子ＬＣを含む液晶素子がマトリックス配列された表示部３０Ｄから構成されており、水平ゲートスイッチ部３０Ａには、前記ドライバ回路からＲ、Ｇ、Ｂ信号が加えられ、水平シフトレジスタ３０Ｂ及び垂直シフトレジスタ３０Ｃには、前記駆動パルス発生回路２８Ｂからそれぞれ水平パルス及び垂直パルスが加えられるようになっている。
【００３１】
そして、水平ゲートスイッチ部３０Ａに加えられるＲ、Ｇ、Ｂ信号は、水平パルスによって駆動される水平シフトレジスタ３０Ｂにより取り込まれ、垂直パルスに基づいて駆動される垂直シフトレジスタ３０Ｃにより表示部３０Ｄの所定のラインの液晶素子に印加される。表示部３０Ｄの各液晶素子は、印加電圧に応じて透過光又は反射光を変調し、これにより画像を表示する。
【００３２】
さて、駆動パルス発生回路２８Ｂは、ビデオ信号の未入力期間に合わせて水平パルス及び垂直パルスの発生を停止するが、この場合、各液晶素子の容量素子ＬＣには、画像データに対応した電荷が保持され、画像データに対応した電圧が液晶電極間に印加され続けられる。これにより、ＬＣＤパネル３０は、水平パルス及び垂直パルスが停止しても現在表示している画像を表示し続けることになり、画像表示は中断されない。この間、画像を更新することはできないが、デジタルカメラの場合は撮影した静止画を表示するため、問題はない。
【００３３】
尚、液晶素子に一定電圧を長時間印加し続けるのは素子特性上好ましくないが、図３に示したように間欠的に繰り返してＬＣＤパネル３０を駆動することにより、特性劣化を回避することができる。また、フリッカー等も問題ないレベルに抑えることができる。
【００３４】
一方、メモリ２２から液晶表示のための画像データの読出しを停止している停止期間には、メモリバスが開放されメモリ２２へのアクセスが自由になる。そこで、信号処理回路１８は、上記停止期間中にメモリ２２にアクセスしてメモリ２２上のＹＣ信号を圧縮処理し、その圧縮した画像データを外部インターフェース３２を介してメモリカードに記録させる。
【００３５】
このように、液晶表示のためにメモリ２２から画像データの読出しを常時行わないため、メモリ２２内の画像データのメモリカードへの記録処理の時間を十分に確保することができる。即ち、ＬＣＤパネル３０での画像表示を中断することなく記録処理を高速に実行することができ、次の撮影機会を逃さないようにすることができる。
【００３６】
尚、上記実施の形態では、１画面（１フィールド又は１フレーム）を単位として画像データの読出し及びＬＣＤパネル３０の駆動を間欠的に行ったが、これに限らず、ライン（１Ｈ又は数Ｈ；Ｈは水平走査期間）を単位として画像データの読出し及びＬＣＤパネル３０の駆動を間欠的に行うようにしてもよい。
【００３７】
また、図３（Ｂ）に示した停止期間Ｔ２は、期間Ｔ１と同等かそれ以上（例えば、整数倍）でもよい。
【００３８】
次に、本発明の他の実施の形態について説明する。
【００３９】
上記実施の形態では、一旦メモリ２２に格納した画像データに基づいて静止画をＬＣＤパネル３０に表示する場合について説明したが、ＣＣＤ１２及びＣＤＳ回路１６を介して取り込んだ画像データを信号処理し、メモリ２２を経由しないで直接ＬＣＤパネル３０に画像を液晶表示する場合について説明する。
【００４０】
この場合、ＣＣＤ１２から１フィールド分の画像信号を読み出す。この画像信号は、ＣＤＳ回路１６でＲ，Ｇ，Ｂのデジタル信号に変換され、信号処理回路１８で信号処理された後、ビデオ出力回路２４を介してビデオ信号として液晶駆動回路２８に出力される。液晶駆動回路２８は、ビデオ信号に基づいてＲ、Ｇ、Ｂ信号とともに液晶表示に必要なパルスをＬＣＤパネル３０に供給し、ＬＣＤパネル３０に画像を表示させる。
【００４１】
その後、ＣＣＤ１２からの画像信号の読出しを停止させるとともに、液晶表示に必要なパルスのすべて又は一部を停止させてＬＣＤパネル３０の駆動も停止させる。尚、ＬＣＤパネル３０上の液晶画像は、その駆動が停止されても保持される。所定の期間停止した後、ＣＣＤ１２からの画像信号の読出し、及びＬＣＤパネル３０の駆動を再開させ、表示画像を更新させる。
【００４２】
マイコン２０は、上記停止期間にＣＣＤ１２、ＣＣＤ駆動回路１３、ＣＤＳ回路１６及び信号処理回路１８の動作を停止させることにより、消費電力を大幅に低減させることができる。例えば、１／６０sec で読み出されるＣＣＤ１２に対して、１／３０sec （１／２間引き）、１／１５sec （１／４間引き）で間欠的に画像信号の読出し及びＬＣＤパネル３０の駆動を行って画像を表示させる。この場合、間欠的な表示により動画としてはスムーズな動きが犠牲になるが、例えば被写体のフレーミングを行うための電子ファインダとしては十分実用的である。
【００４３】
一方、ビデオ出力端子２６からはＮＴＳＣ方式等の標準的なビデオ信号（間欠的でないビデオ信号）を出力する必要がある。そこで、ビデオ出力端子２６にケーブルあるいはテレビ等が接続された場合には、ビデオ出力回路２４からの間欠的なビデオ信号の出力を止め、連続的なビデオ信号を出力する。
【００４４】
即ち、マイコン２０は、検出器３４からビデオ出力端子２６にケーブルあるいはテレビ等が接続されていることを示す信号を受入すると、ＣＣＤ１２、ＣＣＤ駆動回路１３、ＣＤＳ回路１６及び信号処理回路１８を間欠動作させずに連続動作させ、これによりビデオ出力回路２４からテレビ等が正常に動作できるような標準的なビデオ信号を出力させる。
【００４５】
次に、本発明の更に他の実施の形態について説明する。
【００４６】
前記実施の形態では、ＣＣＤ１２又はメモリ２２から間欠的又は連続的に画像信号の読出しを行うとともに、これに合わせてＬＣＤパネル３０の駆動も間欠的又は連続的に行ってＬＣＤパネル３０に画像を表示させるようにしたが、この実施の形態では、ＣＣＤ１２又はメモリ２２から少なくとも２種類のタイミング信号で画像信号の読出しを行うようにしている。
【００４７】
前記２種類のタイミング信号のうちの第１のタイミング信号は、ＮＴＳＣ方式等の標準的なビデオ信号を作るのに適したタイミング信号であり、第２のタイミング信号は、第１のタイミング信号よりも周波数の低いタイミング信号である。
【００４８】
そして、ビデオ出力端子２６からビデオ信号を出力する場合には、第１のタイミング信号でＣＣＤ１２又はメモリ２２から画像信号の読出しを行い、標準的なビデオ信号をビデオ出力端子２６から出力し、ＬＣＤパネル３０での画像表示のみの場合には、第２のタイミング信号でＣＣＤ１２又はメモリ２２から画像信号の読出しを行い、標準的なビデオ信号よりもフレームレートの遅いビデオ信号をＬＣＤパネル３０に出力するとともに、それに対応した駆動パルスでＬＣＤパネル３０を駆動する。
【００４９】
即ち、マイコン２０は、ビデオ出力端子２６からのビデオ出力か、又はＬＣＤパネル３０のみの液晶表示かを検出器３４又は他の選択手段によって検知し、ビデオ出力が選択されている場合には、標準的なビデオ信号を生成するコマンドをタイミング信号発生回路１４に出力し、一方、液晶表示が選択されている場合には、液晶表示のコマンドをタイミング信号発生回路１４に出力する。
【００５０】
これにより、タイミング信号発生回路１４は、ビデオ出力時には標準的なビデオ信号を生成するのに適した第１のタイミング信号を出力し、液晶表示時には標準的なビデオ信号よりもフレームレートの遅いビデオ信号を生成するための第２のタイミング信号を出力する。
【００５１】
尚、ＣＣＤ１２の駆動やメモリ２２からの画像データの読出しの周波数が低い程、消費電力を低減することができ、この実施の形態では、液晶表示のみを行う場合には、標準的なビデオ信号を生成する必要がないため、標準的なビデオ信号よりもフレームレートの遅いビデオ信号を生成し、これにより消費電力の低減を図っている。
【００５２】
尚、液晶駆動回路は、ＮＴＳＣ方式等のビデオ信号を入力するものに限らず、Ｒ、Ｇ、Ｂ信号を入力するものでもよい。
【図面の簡単な説明】
【００５３】
【図１】図１は本発明に係る電子カメラを示すブロック図である。
【図２】図２は図１に示した液晶駆動回路及びＬＣＤパネル３０の詳細を示すブロックである。
【図３】図３は図２に示した液晶駆動回路における信号のタイミングチャートである。
【符号の説明】
【００５４】
１０…撮影レンズ
１２…固体撮像素子（ＣＣＤ）
１３…ＣＣＤ駆動回路
１４…タイミング信号発生回路
１６…ＣＤＳ回路
１８…信号処理回路
２０…マイコン
２２…メモリ
２４…ビデオ出力回路
２６…ビデオ出力端子
２８…液晶駆動回路
２８Ａ…ドライバ回路
２８Ｂ…駆動パルス発生回路
３０…ＬＣＤパネル
３０Ａ…水平ゲートスイッチ部
３０Ｂ…水平シフトレジスタ
３０Ｃ…垂直シフトレジスタ
３０Ｄ…表示部
３２…外部インターフェース
３４…検出器
【図１】
2007004188.tif 000003
【図２】
2007004188.tif 000004
【図３】
2007004188.tif 000005